(57)【要約】【課題】デザインや設計の自由度を確保しつつ小型化を図る上で有利な撮像装置を提供する。【解決手段】発光部用ケース２００４が非使用位置に位置した状態で、図４（Ａ）に示すように、光源収容室２００６の前端は、鏡筒１０の前端よりも後方に位置し、光源収容室２００６の前端は前後方向において前壁１０２Ａとほぼ同じ位置に位置するように形成されている。発光部用ケース２００４が使用位置に位置した状態で、図４（Ｂ）に示すように、光源収容室２００６の前端は、鏡筒１０の前端とほぼ同じ位置に位置し、光源収容室２００６の前端は前後方向において前壁１０２Ａよりも前方に位置するように形成されている。【選択図】図４
2006133297.tif 000002
【特許請求の範囲】
【請求項１】
撮像素子と、
複数の光学部材からなり被写体像を前記撮像素子に導く光学系と、
前記光学系および前記撮像素子を収容し外装を構成する本体ケースと、
前記本体ケースに設けられ被写体側である前方に光を照射する発光部とを備える撮像装置であって、
前記光学系は前記複数の光学部材のうち最も前方に位置する第１の光学部材を有し、
前記発光部は、前記第１の光学部材よりも後方に位置する非使用位置と、前記非使用位置よりも前方に位置し前記第１の光学部材の側方に位置する使用位置との間で移動可能に設けられている、
ことを特徴とする撮像装置。
【請求項２】
前記発光部は、前記光学系の光軸と平行する方向に移動可能に設けられていることを特徴とする請求項１記載の撮像装置。
【請求項３】
前記発光部は、光源と、前記光源を収容する発光部用ケースとを備え、前記本体ケースに対して前記発光部用ケースは前記非使用位置と使用位置との間で移動可能に結合されていることを特徴とする請求項１記載の撮像装置。
【請求項４】
前記発光部は、光源と、前記光源を収容する発光部用ケースとを備え、前記撮像装置は、撮像にまつわる複数の操作スイッチを有し、前記複数の操作スイッチの少なくとも１つは前記本体ケースに前後に移動可能に設けられたスイッチ用ケースに配置され、前記発光部用ケースは前記スイッチ用ケースの前部に前記非使用位置と使用位置との間で移動可能に設けられていることを特徴とする請求項１記載の撮像装置。
【請求項５】
前記撮像装置は、撮像にまつわる複数の操作スイッチを有し、前記複数の操作スイッチの少なくとも１つは前記本体ケースに前後に移動可能に結合されたスイッチ用ケースに設けられ、前記発光部は前記スイッチ用ケースの前部に設けられていることを特徴とする請求項１記載の撮像装置。
【請求項６】
前記光学系は鏡筒に収容され、前記第１の光学部材は前記鏡筒の前端に設けられた対物レンズであることを特徴とする請求項１記載の撮像装置。
【請求項７】
前記光学系は鏡筒に収容され、前記第１の光学部材は前記鏡筒の前端に設けられた対物レンズであり、前記発光部は、光源と、前記光源を収容する発光部用ケースとを備え、前記本体ケースに対して前記発光部用ケースは前記非使用位置と使用位置との間で移動可能に設けられ、前記発光部用ケースは、前記光源からの光を前方に反射させる前方が開放された光源収容室を有し、前記使用位置において、前記鏡筒の前端と前記光源収容室の前端とは前後方向における位置がほぼ同じであることを特徴とする請求項１記載の撮像装置。
【請求項８】
前記光学系は鏡筒に収容され、前記第１の光学部材は前記鏡筒の前端に設けられた対物レンズであり、前記発光部は、光源と、前記光源を収容する発光部用ケースとを備え、前記本体ケースに対して前記発光部用ケースは前記非使用位置と使用位置との間で移動可能に設けられ、前記発光部用ケースは、前記光源からの光を前方に反射させる前方が開放された光源収容室を有し、前記使用位置において、前記鏡筒の前端よりも前記光源収容室の前端が前方に位置していることを特徴とする請求項１記載の撮像装置。
【請求項９】
前記発光部が前記非使用位置に位置するか前記使用位置に位置するかを検出する検出スイッチが設けられ、前記検出スイッチにより前記発光部が前記非使用位置に位置すると検出された場合に前記発光部の発光動作を禁止させ、前記発光部が前記使用位置に位置すると検出された場合に前記発光部の発光動作を許容する制御手段が設けられていることを特徴とする請求項１記載の撮像装置。
【請求項１０】
前記本体ケースには、前記発光部が前記非使用位置に位置した状態で前記発光部により隠され、前記発光部が前記使用位置に位置した状態で露出する撮影にまつわる操作スイッチが設けられていることを特徴とする請求項１記載の撮像装置。
【請求項１１】
前記操作スイッチは、前記発光部の発光動作にまつわる各種設定を行う前記発光部操作用のスイッチであることを特徴とする請求項１０記載の撮像装置。
【発明の詳細な説明】
【技術分野】
【０００１】
本発明は撮像装置に関し、さらに詳細には、撮像装置に付設される発光部の配設構造に関する。
【背景技術】
【０００２】
デジタルビデオカメラなどの撮像装置として、補助光を被写体に照射する発光部（静止画撮影用のストロボ、あるいは、動画撮影用のビデオライト）が設けられたものがある。
このような撮像装置は、その外装を構成するケースに発光部が移動不能に固定されたものと、ケースに組み込まれた発光部を使用時に筐体外方に突出させ、非使用時には筐体内部に収容する、いわゆるポップアップ機構を採用したものとがある（例えば特許文献１，２，３参照）。
【特許文献１】特開２００２−２５０９６２号公報
【特許文献２】特開２００２−２９６６４８号公報
【特許文献３】特開２００３−３０７７６９号公報
【発明の開示】
【発明が解決しようとする課題】
【０００３】
前者のように発光部が撮像装置のケースに移動不能に固定されている場合には、発光部から照射される照明光がケースの部分によって遮らないように発光部を鏡筒の半径方向外方に大きく離す必要が生じ、そのため、発光部をケースの外方に大きく突出させなければならず、デザインや設計の自由度を確保する上で不利があった。
また、後者のようにポップアップ機構を採用した場合には、構造が複雑で部品点数も多いため占有スペースが必要となり撮像装置の小型化を図る上で不利があった。
本発明はこのような事情に鑑みなされたもので、その目的はデザインや設計の自由度を確保しつつ小型化を図る上で有利な撮像装置を提供することにある。
【課題を解決するための手段】
【０００４】
上述の目的を達成するため、本発明の撮像装置は、撮像素子と、複数の光学部材からなり被写体像を前記撮像素子に導く光学系と、前記光学系および前記撮像素子を収容し外装を構成する本体ケースと、前記本体ケースに設けられ被写体側である前方に光を照射する発光部とを備える撮像装置であって、前記光学系は前記複数の光学部材のうち最も前方に位置する第１の光学部材を有し、前記発光部は、前記第１の光学部材よりも後方に位置する非使用位置と、前記非使用位置よりも前方に位置し前記第１の光学部材の側方に位置する使用位置との間で移動可能に設けられていることを特徴とする。
【発明の効果】
【０００５】
そのため、本発明によれば、従来のように発光部が撮像装置のケースに移動不能に固定されている場合には、発光部から照射される照明光がケースの部分によって遮らないように発光部を鏡筒の半径方向外方に大きく離す必要が生じ、そのため、発光部をケースの外方に大きく突出させなければならず、デザインや設計の自由度を確保する上で不利があったのに対して、本実施例では、発光部を前後方向に移動させるという簡単な構成によって発光部を鏡筒の半径方向外方に大きく離す必要がなくなり、デザインや設計の自由度を確保する上で有利となる。
また、従来のように発光部としてポップアップ機構を採用した場合には、構造が複雑で部品点数も多いため占有スペースが必要となり撮像装置の小型化を図る上で不利があったのに対して、発光部を前後方向に移動させる構成で済むため、構造が簡素で部品点数も少ないことから小型化を図る上で有利となる。
【発明を実施するための最良の形態】
【０００６】
発光部を、複数の光学部材のうち最も前方に位置する第１の光学部材よりも後方に位置する非使用位置と、非使用位置よりも前方に位置し第１の光学部材の側方に位置する使用位置との間で移動可能に設けることによって前記目的を実現した。
【実施例１】
【０００７】
次に本発明の実施例１について図面を参照して説明する。
図１は実施例１における撮像装置を前方から見た斜視図、図２（Ａ）、（Ｂ）は実施例１における撮像装置の動作説明図、図３は図１のＡＡ線断面図、図４（Ａ）、（Ｂ）は図１のＢＢ線断面図、図５は実施例１における撮像装置の制御系を示すブロック図である。
【０００８】
図１に示すように、撮像装置１００はデジタルビデオカメラであって、外装を構成する本体ケース１０２を有し、本体ケース１０２は、上下方向の高さと、高さよりも短い寸法の前後方向の長さと、長さよりも短い寸法の左右方向の幅とを有している。なお、本明細書において本体ケース１０２の左右は本体ケース１０２を前方（被写体側）から見た状態でいうものとする。
本体ケース１０２は前方に臨む前壁１０２Ａ、後方に臨む後壁１０２Ｂ、上方に臨む上壁１０２Ｃ、下方に臨む１０２Ｄ、左右側方に臨む左右の側壁１０２Ｅ、１０２Ｆを有している。
本体ケース１０２の上部には鏡筒１０が組み込まれ、鏡筒１０の後部に撮像素子１８が組み込まれるとともに、鏡筒１０には被写体像を撮像素子１８に導く光学系１４が組み込まれている。
光学系１４は、ズームレンズやフォーカスレンズ、対物レンズなどを含んだ複数の光学部材で構成され、鏡筒１０の前端には対物レンズ１４０２が配置されている。この対物レンズ１４０２は複数の光学部材のうち最も前方に位置しており、特許請求の範囲の第１の光学部材に相当している。
鏡筒１０の前端の外周には環状の部材からなるマニュアルフォーカス調整用のＭＦリング１０３が回転可能に取着されている。
【０００９】
本体ケース１０２の後壁１０２Ｂの上部には、撮影中の画像を視認するためのビューファインダー１０４が設けられ、ビューファインダー１０４下方の後壁１０２Ｂ箇所には、図２に示すように、電源スイッチ１０６、動画撮影の開始／停止スイッチ１０８などが設けられている。
本体ケース１０２の上壁１０２Ｃ後部寄りにはアクセサリー装着用のシュー１１０と録音用のマイク１１２が前後方向に並べて設けられている。
本体ケース１０２の右壁１０２Ｆには、静止画および動画などの画像や文字や記号などが表示される表示パネル１１４（図５）が設けられている。
本体ケース１０２の左壁１０２Ｅの後方で下方寄りの箇所と、下壁１０２Ｄと左壁１０２Ｅの境目で前方寄りの箇所との間には、環状に形成されたハンドストラップ１１６が取着され、ハンドストラップ１１６の内側に手を通して本体ケース１０２をしっかり保持できるように構成されている。
本体ケース１０２の左壁１０２Ｅの上部寄りの箇所には左壁１０２Ｅから突出し前後方向および上下方向に延在するスイッチ用ケース４０が設けられている。
スイッチ用ケース４０には、光学系１４のズーム操作を行うためのズームスイッチ１１８、静止画撮影を行うためのフォトスイッチ１２０、動画撮影モードと静止画撮影モードの切り換えを行うモード切り換えスイッチ１２２などの撮影にまつわる操作スイッチが配置されている。
【００１０】
被写体に光を照射する発光部２０は本体ケース１０２の左壁１０２Ａに設けられ、本実施例ではスイッチ用ケース４０の前部に設けられている。
発光部２０は、図２（Ａ）、図４（Ａ）に示すように、対物レンズ１４０２よりも後方に位置する非使用位置（イ）と、図２（Ｂ）、図４（Ｂ）に示すように、非使用位置（イ）よりも前方に位置し対物レンズ１４の側方に位置する使用位置（ロ）との間で移動可能に設けられている。
詳細に説明すると、図４に示すように、発光部２０は、光源２００２と、光源２００２を収容する発光部用ケース２００４とを備え、本体ケース１０２に対して発光部用ケース２００４は非使用位置と使用位置との間で移動可能に設けられ、本実施例では発光部用ケース２００４は、光学系１４の光軸と平行する方向に移動可能に設けられている。
光源２００２としては、例えば、フラッシュライトのように閃光を発生するものでもよいし、あるいは、ビデオライトのように継続的に光を発生するものでもよい。
本体ケース１０２への発光部用ケース２００４の結合は、図３に示すように、本体ケース１０２に設けられスイッチ用ケース４０内の前部から前方に延在するレール１０７に、発光部用ケース２００４裏面のスライダー２００５が移動可能に係合することでなされる。また、非使用位置と使用位置とにおいてそれぞれスライダー２００５に係脱可能に結合し非使用位置と使用位置において発光部用ケース２００４が留まるように発光部用ケース２００４を保持するクリック機構やストッパなどが設けられている。このように発光部用ケース２００４を前後移動可能に支持する構造や非使用位置および使用位置において発光部用ケース２００４を留まらせる構造として従来公知の様々な構造が採用可能である。
【００１１】
発光部用ケース２００４は、光源２００２からの光を前方に反射させる前方が開放された光源収容室２００６を有し、光源収容室２００６の壁面は反射面として形成され、発光部２０から照射される光束の中心軸が対物レンズ１４０２の光軸と平行するように構成されている。
発光部用ケース２００４が非使用位置に位置した状態で、図４（Ａ）に示すように、光源収容室２００６の前端は、鏡筒１０の前端よりも後方に位置し、図２（Ａ）に示すように、光源収容室２００６の前端は前後方向において前壁１０２Ａとほぼ同じ位置に位置するように形成されている。そして、非使用位置では、発光部用ケース２００４がスイッチ用ケース４０の前端に位置し、発光部用ケース２００４の後端とスイッチ用ケース４０の前端とが連続し、あたかも発光部用ケース２００４とスイッチ用ケース４０とが一体的な形状をなすように発光部用ケース２００４が形成されている。
また、発光部用ケース２００４が使用位置に位置した状態で、図４（Ｂ）に示すように、光源収容室２００６の前端は前後方向において鏡筒１０の前端とほぼ同じ位置に位置し、図２（Ｂ）に示すように、光源収容室２００６の前端は前後方向において前壁１０２Ａよりも前方に位置するように形成されている。なお、光源収容室２００６の前端を、前後方向において鏡筒１０の前端とほぼ同じ位置にしたのは、後述するように光源２００２からの光を鏡筒１０に遮られること無く被写体に照射させるためであり、このような観点からすると、光源収容室２００６の前端を、少なくとも前後方向において鏡筒１０の前端とほぼ同じ位置にすることが望ましく、鏡筒１０の前端を、前後方向において鏡筒１０よりも前方に位置させるとより望ましい。
なお、発光部用ケース２００４が使用位置に位置した状態で、図２（Ｂ）、図４（Ｂ）に示すように、発光部用ケース２００４の後方における左壁１０２Ｅ箇所には、２つの操作スイッチ１２４が露出するように設けられている。
【００１２】
図５に示すように、撮像素子１８は、光学系１４によって結像された被写体像を撮像するＣＣＤやＣＭＯＳセンサなどで構成されている。
撮像素子１８で撮像された像は撮像信号として画像処理部１５０に出力され、画像処理部１５０ではこの撮像信号に基づいて静止画あるいは動画の画像データが生成され、記憶媒体１５２に記録される。また、前記画像データは表示処理部１５４によりディスプレイ１１４に表示される。
光源２００２には駆動部１５６が接続され、駆動部１５６から供給される駆動電流によって光源２００２が発光する。
撮像装置１００は、撮影開始／停止スイッチ１０８、ズームスイッチ１１８、フォトスイッチ１２０、モード切り換えスイッチ１２２、操作スイッチ１２４および各種操作スイッチの操作に応じて、画像処理部１５０、表示処理部１５４、駆動部１５６を制御するＣＰＵなどを含む制御部１５８を備えている。
制御部１５８は、駆動部１５６を制御することにより光源２００２の発光量および発光時間を調整できるように構成されている。
また、本体ケース１０２が発光部用ケース２００４に臨む箇所には、発光部用ケース２００４が非使用位置にあるか、使用位置にあるかを検出する検出スイッチ１６０が設けられている。
制御部１５８は検出スイッチ１６０の検出信号によって発光部用ケース２００４の非使用位置および使用位置を検出し、発光部用ケース２００４が非使用位置にあるときには発光部２０による発光動作を禁止し、発光部用ケース２００４が使用位置にあるときには発光部２０による発光動作を許容するように構成されており、制御部１５８によって特許請求の範囲の制御手段が構成されている。
【００１３】
次に作用効果について説明する。
発光部２０によって被写体に光を照射せずに撮影を行う場合には、図２（Ａ），図４（Ａ）に示すように、発光部用ケース２００４を非使用位置に位置させた状態とする。
この場合、制御部１５８は検出スイッチ１６０の検出信号に基づいて発光部２０による発光動作が禁止されているので、発光部２０による誤発光動作を防止することができる。
発光部２０によって被写体に光を照射して撮影を行う場合には、図２（Ｂ），図４（Ｂ）に示すように、発光部用ケース２００４の使用位置に位置させた状態とする。
この場合、制御部１５８は検出スイッチ１６０の検出信号に基づいて発光部２０による発光動作が許容されているので、発光部２０による発光動作がなされる。
この場合、発光部用ケース２００４が使用位置に位置し、光源収容室２００６の前端と鏡筒１０の前端とが前後方向においてほぼ同じ箇所に位置しているため、発光部２０から出射された光は、鏡筒１０の前端によって遮られることなく被写体に向けて照射される。
【００１４】
本実施例によれば、発光部２０は、複数の光学部材のうち最も前方に位置する対物レンズ１４０２よりも後方に位置する非使用位置と、非使用位置よりも前方に位置し対物レンズ１４０２の側方に位置する使用位置との間で移動可能に設けられているので、被写体に光を照射する場合には発光部２０を使用位置に位置させることで発光部２０からの光を鏡筒１０に遮られることなく被写体に向けて照射させることができ、被写体に向けて光を照射しない場合には発光部２０を非使用位置に位置させることで発光部２０を本体ケース１０２に対して邪魔にならない位置とさせることができる。
したがって、従来のように発光部が撮像装置のケースに移動不能に固定されている場合には、発光部から照射される照明光がケースの部分によって遮らないように発光部を鏡筒の半径方向外方に大きく離す必要が生じ、そのため、発光部をケースの外方に大きく突出させなければならず、デザインや設計の自由度を確保する上で不利があったのに対して、本実施例では、発光部２０を前後方向に移動させるという簡単な構成によって発光部２０を鏡筒の半径方向外方に大きく離す必要がなくなり、デザインや設計の自由度を確保する上で有利となる。
また、従来のように発光部としてポップアップ機構を採用した場合には、構造が複雑で部品点数も多いため占有スペースが必要となり撮像装置の小型化を図る上で不利があったのに対して、発光部２０を前後方向に移動させる構成で済むため、構造が簡素で部品点数も少ないことから小型化を図る上で有利となる。
また、本実施例では、非使用位置では、あたかも発光部用ケース２００４とスイッチ用ケース４０とが一体的な形状をなすように発光部用ケース２００４が形成されているのでデザイン上より一層有利である。
また、本実施例では、発光部用ケース２００４が使用位置に位置した状態でのみ、２つの操作スイッチ１２４が本体ケース１０２の表面に露出するように設けたので、２つの操作スイッチ１２４は、発光部用ケース２００４が非使用位置に位置した状態で操作不能となり、発光部用ケース２００４が使用位置に位置した状態で操作可能となる。このため、操作スイッチ１２４として使用頻度の少ない操作スイッチを割り当てれば、誤操作を回避する上で有利となる。例えば、これら操作スイッチ１２４として、発光部２０の発光動作にまつわる各種設定を行う発光部操作用のスイッチを割り当てれば、発光部２０の非使用時における操作スイッチ１２４の誤操作を回避でき、操作性を向上する上で有利となる。
なお、本実施例では、発光部用ケース２００４が非使用位置にあるか、使用位置にあるかを検出する検出スイッチ１６０を設け、発光部用ケース２００４が非使用位置にあるときには発光部２０による発光動作を禁止し、発光部用ケース２００４が使用位置にあるときには発光部２０による発光動作を許容する場合について説明したが、このような検出スイッチ１６０を省略してもよいことは無論である。しかしながら、実施例のように検出スイッチ１６０を設けると、発光部用ケース２００４が非使用位置に位置した状態で誤って発光を行うことを防止する上で有利となる。
【実施例２】
【００１５】
次に、実施例２について説明する。
実施例１では、スイッチ用ケース４０に対して発光部用ケース２００２を前後方向移動可能に設けていたのに対し、実施例２では、スイッチ用ケース４０の前部に発光部用ケース２００２を一体的に設け、スイッチ用ケース４０を前後方向に移動可能に設けたものである。
図６（Ａ）、（Ｂ）は実施例２における撮像装置の動作説明図である。
以下、実施例１と同一の箇所、部材に同一の符号を付して説明すると、スイッチ用ケース４０には、ズームスイッチ１１８、フォトスイッチ１２０、モード切り換えスイッチ１２２などの撮影にまつわる操作スイッチが配置されている。
発光部用ケース２００２は、スイッチ用ケース４０の前部に一体的に設けられ、発光部用ケース２００２内の光源２００４や光源収容室２００６の構成は実施例１と同様である。
そして、スイッチ用ケース４０が後端位置に移動することで発光部用ケース２００４が非使用位置に位置し、この状態で図６（Ａ）に示すように、光源収容室２００６の前端は、鏡筒１０の前端よりも後方に位置し、光源収容室２００６の前端は前後方向において前壁１０２Ａとほぼ同じ位置に位置するように形成されている。
また、スイッチ用ケース４０が前端位置に移動することで発光部用ケース２００４が使用位置に位置し、この状態で図６（Ｂ）に示すように、光源収容室２００６の前端は、鏡筒１０の前端とほぼ同じ位置に位置し、光源収容室２００６の前端は前後方向において前壁１０２Ａよりも前方に位置するように形成されている。
また、実施例２では、発光部用ケース２００４が使用位置に位置した状態で、図６（Ｂ）に示すように、スイッチ用ケース４０の後方における左壁１０２Ｅ箇所には、実施例１と同様の２つの操作スイッチ１２４が露出するように設けられている。
このような実施例２によっても実施例１と同様の作用効果が奏される。
【００１６】
なお、実施例１，２では、発光部用ケース２００４を光学系１４の光軸と平行する方向に移動可能に設けたが、発光部用ケース２００４の移動方向は、任意であり、要するに使用位置で発光部用ケース２００４の前端が鏡筒１０の前端とほぼ同じ位置にあればよく、したがって、発光部用ケース２００４は光学系１４の光軸と平行する方向ではなく光学系１４の光軸と交差する方向に移動可能に設けられていてもよい。
なお、実施例２では、発光部用ケース２００４が一体に設けられたスイッチ用ケース４０を前後方向に移動可能に設けた場合について説明したが、発光部用ケース２００４を有さないスイッチ用ケース４０を前後方向に移動可能に設けてもよい。
また、本実施例においては、撮像装置としてデジタルビデオカメラを例示したが、本発明はデジタルスチルカメラやテレビカメラなどの撮像装置にも無論適用可能である。
【図面の簡単な説明】
【００１７】
【図１】実施例１における撮像装置を前方から見た斜視図である。
【図２】（Ａ）、（Ｂ）は実施例１における撮像装置の動作説明図である。
【図３】図１のＡＡ線断面図である。
【図４】（Ａ）、（Ｂ）は図１のＢＢ線断面図である。
【図５】実施例１における撮像装置の制御系を示すブロック図である。
【図６】（Ａ）、（Ｂ）は実施例２における撮像装置の動作説明図である。
【符号の説明】
【００１８】
１００……撮像装置、１０２……本体ケース、１８……撮像素子、１４……光学系、１４０２……対物レンズ、２０……発光部。
【図１】
2006133297.tif 000003
【図２】
2006133297.tif 000004
【図３】
2006133297.tif 000005
【図４】
2006133297.tif 000006
【図５】
2006133297.tif 000007
【図６】
2006133297.tif 000008